(57)【特許請求の範囲】
【請求項１】
局部洗浄動作を実行可能な機能部と、
前記機能部による前記局部洗浄動作を停止させる停止スイッチを有する操作部と、
を備え、
前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、
前記入力可能状態から前記入力不能状態に切り替える場合に、前記局部洗浄動作を停止させることを特徴とする局部洗浄装置。
【請求項２】
前記操作部は、前記入力可能状態から前記入力不能状態に切り替える動作の開始を指示する切替動作指示部をさらに有し、
前記切替動作指示部が操作された場合に、前記局部洗浄動作を停止させることを特徴とする請求項１記載の局部洗浄装置。
【請求項３】
前記操作部は、前記入力可能状態から前記入力不能状態に切り替える動作に伴い、前記停止スイッチを操作するスイッチ切替部をさらに有することを特徴とする請求項１記載の局部洗浄装置。
【請求項４】
前記操作部は、前記入力可能状態から前記入力不能状態に切り替える動作に伴って操作される切替操作スイッチをさらに有し、
前記切替操作スイッチが操作された場合に、前記局部洗浄動作を停止させることを特徴とする請求項１記載の局部洗浄装置。
【請求項５】
前記操作部は、前記入力可能状態から前記入力不能状態に切り替える動作を検知する切替動作検知部をさらに有し、
前記切替動作検知部が前記切り替える動作を検知した場合に、前記局部洗浄動作を停止させることを特徴とする請求項１記載の局部洗浄装置。
【請求項６】
局部洗浄動作を実行可能な機能部と、
前記機能部による前記局部洗浄動作を停止させる停止スイッチを有する操作部と、
を備え、
前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、
前記操作部は、前記入力不能状態において操作可能な他のスイッチをさらに有し、
前記入力不能状態において前記他のスイッチが操作された場合に、前記局部洗浄動作を停止させることを特徴とする局部洗浄装置。
【請求項７】
前記機能部は、便座に座った使用者を検知する着座検知手段をさらに有し、
前記着座検知手段が前記使用者を検知し、且つ前記入力不能状態において、前記他のスイッチが操作された場合に、
前記操作部は、前記他のスイッチの本来の動作を指示する信号を出力することなく、前記局部洗浄動作の停止を指示する信号を前記機能部に出力し、前記局部洗浄動作を停止させることを特徴とする請求項６記載の局部洗浄装置。
【請求項８】
前記機能部は、便座に座った使用者を検知する着座検知手段をさらに有し、
前記着座検知手段が前記使用者を検知し、且つ前記入力不能状態において、前記他のスイッチが操作された場合に、
前記操作部は、前記他のスイッチの本来の動作を指示する信号を出力し、
前記機能部は、前記操作部から出力された信号を前記局部洗浄動作の停止を指示する信号に読み替えて、前記局部洗浄動作を停止させることを特徴とする請求項６記載の局部洗浄装置。
【請求項９】
局部洗浄動作を実行可能な機能部と、
前記機能部による前記局部洗浄動作を停止させる停止スイッチを有する操作部と、
を備え、
前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、
前記操作部は、前記機能部が前記局部洗浄動作を実行している場合に、前記入力可能状態から前記入力不能状態への切り替え動作を禁止することを特徴とする局部洗浄装置。
【請求項１０】
局部洗浄動作を実行可能な機能部と、
前記機能部による前記局部洗浄動作を停止させる停止スイッチを有する操作部と、
を備え、
前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、
前記操作部は、前記機能部が前記局部洗浄動作を実行している場合に、前記入力可能状態から前記入力不能状態への切り替えがなされると、前記入力可能状態に復帰させることを特徴とする局部洗浄装置。
【発明の詳細な説明】
【技術分野】
【０００１】
本発明は、局部洗浄装置に関し、具体的には洋式腰掛便座に腰掛けた使用者の「おしり」などを水で洗浄する局部洗浄装置に関する。
【背景技術】
【０００２】
便器の前に立った状態や便座に座った状態で便器に付設された機器に指示を与えたり、トイレの環境制御のための指示を行うためのリモコンは、トイレの壁に取付けられることが多い。例えば、便座に座った使用者の「おしり」などに水を噴射して洗浄可能とした局部洗浄装置をリモコンにより操作可能とすると、使い勝手がよい。  
そこで、リモコンの操作部に設けられたスイッチを隠蔽することにより、操作性の向上やスイッチの露出が少ないすっきりとした意匠を目指した操作部を有する局部洗浄装置が開示されている（例えば、特許文献１または２参照）。
【０００３】
しかしながら、特許文献１または２に記載された局部洗浄装置において、局部洗浄動作中や局部乾燥動作中に使用者がスイッチを誤って隠蔽してしまうと、これらの動作の停止を指示するスイッチを操作できなくなる。そのため、例えば、初めて局部洗浄装置を利用する使用者や、新しい機種に買い換えていつもと違う操作を要求される使用者など、すなわち操作に不慣れな使用者は、局部洗浄動作や局部乾燥動作の実行中であるにも関わらず、これらの動作の停止を指示することができないために、不安を感じるおそれがある。
【特許文献１】特開２００１−５５７７４号公報
【特許文献２】特開２００７−２８８３６９号公報
【発明の開示】
【発明が解決しようとする課題】
【０００４】
本発明は、かかる課題の認識に基づいてなされたものであり、局部洗浄動作の実行中には確実に局部洗浄動作を停止させることができる局部洗浄装置を提供する。
【課題を解決するための手段】
【０００５】
本発明の一態様によれば、局部洗浄動作を実行可能な機能部と、前記機能部による前記局部洗浄動作を停止させる停止スイッチを有する操作部と、を備え、前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、前記入力可能状態から前記入力不能状態に切り替える場合に、前記局部洗浄動作を停止させることを特徴とする局部洗浄装置が提供される。
【０００６】
また、本発明の他の一態様によれば、局部洗浄動作を実行可能な機能部と、前記機能部による前記局部洗浄動作を停止させる停止スイッチを有する操作部と、を備え、前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、前記操作部は、前記入力不能状態において操作可能な他のスイッチをさらに有し、前記入力不能状態において前記他のスイッチが操作された場合に、前記局部洗浄動作を停止させることを特徴とする局部洗浄装置が提供される。
【０００７】
また、本発明の他の一態様によれば、局部洗浄動作を実行可能な機能部と、前記機能部による前記局部洗浄動作を停止させる停止スイッチを有する操作部と、を備え、前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、前記操作部は、前記機能部が前記局部洗浄動作を実行している場合に、前記入力可能状態から前記入力不能状態への切り替え動作を禁止することを特徴とする局部洗浄装置が提供される。
【０００８】
また、本発明の他の一態様によれば、局部洗浄動作を実行可能な機能部と、前記機能部による前記局部洗浄動作を停止させる停止スイッチを有する操作部と、を備え、前記操作部は、前記停止スイッチを操作して前記局部洗浄動作の停止を指示することが可能な入力可能状態と、前記停止スイッチを操作して前記局部洗浄動作の停止を指示することが不可能な入力不能状態と、が切り替え可能とされ、前記操作部は、前記機能部が前記局部洗浄動作を実行している場合に、前記入力可能状態から前記入力不能状態への切り替えがなされると、前記入力可能状態に復帰させることを特徴とする局部洗浄装置が提供される。
【発明の効果】
【０００９】
本発明によれば、局部洗浄動作の実行中には確実に局部洗浄動作を停止させることができる局部洗浄装置が提供される。
【発明を実施するための最良の形態】
【００１０】
以下、本発明の実施の形態について図面を参照しつつ説明する。なお、各図面中、同様の構成要素には同一の符号を付して詳細な説明は適宜省略する。  
図１は、本発明の実施の形態にかかる局部洗浄装置が設置されたトイレ空間を例示する模式図である。  
トイレ室９００には、局部洗浄機能などを有する機能部８１０が設けられた便器８００と、この機能部８１０の動作を遠隔制御するリモコン（操作部）２００と、を有する局部洗浄装置が設置されている。リモコン２００は、便器８００の脇に設けられたカウンターの棚板１００の下に取り付けられている。リモコン２００は、例えば、便器８００の便蓋や便座を電動により開閉したり、また機能部８１０に設けられた局部洗浄機能部や、便器８００に洗浄水を流す便器洗浄機能部などを操作するために用いることができる。また、リモコン２００は、図示しない照明装置、音楽や効果音などを発生する音響装置、テレビやラジオ、暖房などの空調装置などを操作するために用いることも可能である。
【００１１】
リモコン２００の下には、トイレットペーパー５９０を保持するペーパーホルダ５００が設けられている。また、図１に例示したように、棚板１００の下には、キャビネット６００を設置してもよい。またさらに、棚板１００には、水栓１７０を付設した手洗いボウル１６０を設けてもよい。また、トイレ室の壁面に鏡９１０を設けて、ドレッサーとしての機能を付与してもよい。
【００１２】
図２は、リモコンの外観を表す模式図である。  
また、図３および図４は、リモコンの可動部が前方に開いた状態を表す模式斜視図である。  
リモコン２００の前面には、第１の操作面２１０と、可動部２２０と、が併設されている。本実施形態のリモコン２００の場合、待機状態において、第１の操作面２１０がリモコン２００の前面に露出し、一方、可動部２２０の化粧面２２１がリモコン２００の前面に露出している。第１の操作面２１０には、後に詳述するように、便器８００に「大洗浄」の洗浄水を流す「大」スイッチ２１２Ａ（図５参照）や、便器８００に「小洗浄」の洗浄水を流す「小」スイッチ２１２Ｂ（図５参照）などのスイッチが設けられている。これらのスイッチ類は、リモコン２００が有するスイッチ類の中で最も使用頻度が高く、またいずれも便座に座らずに便器８００の前に立った状態において使用する可能性が高いものである。本実施形態においては、このように使用頻度が最も高く、また立った状態で使用される可能性が高いスイッチ類を、第１のグループとして、第１の操作面２１０に配置している。
【００１３】
待機状態においては、これら第１の操作面２１０と、可動部２２０の化粧面２２１と、は、略同一の平面を構成する。つまり、すっきりとして見栄えがよく、スリムな外観が与えられている。
【００１４】
一方、可動部２２０は、その下方の長手方向を軸として回動可能とされている。例えば、便座に使用者が座ると、便器８００に付設された機能部８１０に設けられた人体検知センサが人体を検知し、図３及び図４に表したように、可動部２２０が前方に開く。可動部２２０が開くと、待機状態においては隠蔽されていた第２の操作面２２２がリモコン２００の前方に露出する。第２の操作面２２２は、便座に座った使用者に対面するように傾斜した状態に保持される。このようにして、便座に座った使用者は、操作面２２２に設けられたスイッチを操作することができる。
【００１５】
図５は、リモコンの操作面の遷移を例示する模式図であり、図５（ａ）は、可動部が閉じた状態を表した模式図であり、図５（ｂ）は、可動部が開いて露出した第２の操作面を正面から眺めた模式図である。  
可動部２２０が前方に開く動作は、人体検知センサが人体を検知することによって行われる場合だけに限られるわけではなく、第１の操作面２１０に設けられた「開閉」スイッチ２１２Ｆを使用者が押すことによって行われてもよい。「開閉」スイッチ（切替動作指示部）２１２Ｆは、可動部２２０が閉じた状態のときには可動部２２０を前方に開く機能を有し、一方、可動部２２０が前方に開いた状態のときには可動部２２０を閉じる機能を有する。すなわち、「開閉」スイッチ２１２Ｆを押す毎に、可動部２２０を開く機能と、可動部２２０を閉じる機能と、が交互に切り替わる。
【００１６】
第１の操作面２１０には、便器８００に「大洗浄」の洗浄水を流す「大」スイッチ２１２Ａ、便器８００に「小洗浄」の洗浄水を流す「小」スイッチ２１２Ｂ、便座及び便蓋を電動で閉じた状態にする「閉じ」スイッチ２１２Ｃ、便座を電動で閉じた状態にし且つ便蓋を電動で開いた状態にする「便蓋」スイッチ２１２Ｄ、便座及び便蓋を電動で開いた状態にする「便座」スイッチ２１２Ｅ、可動部２２０を開閉する「開閉」スイッチ２１２Ｆがそれぞれ設けられている。これらのスイッチ類は、リモコン２００が有するスイッチ類の中で最も使用頻度が高く、またいずれも便座に座らずに便器８００の前に立った状態において使用する可能性が高いものである。本実施形態においては、このように使用頻度が最も高く、また立った状態で使用される可能性が高いスイッチ類を、第１のグループとして、リモコン２００の第１の操作面２１０に配置している。
【００１７】
一方、第２の操作面２２２には、表示部２１５と、使用者が便座に座った状態において操作する可能性が高いスイッチ類と、が設けられている。すなわち、局部洗浄動作や局部乾燥動作などの動作を停止させる「止」スイッチ（停止スイッチ）２２３Ａ、「おしり」に向けて吐水させる「おしり」スイッチ２２３Ｂ、吐水に広がりを与える「やわらか」スイッチ２２３Ｃ、ビデ洗浄を実行させる「ビデ」スイッチ２２３Ｄ、温風を噴出させて「おしり」などに乾燥させる「乾燥」スイッチ２２３Ｅ、吐水の位置を前後に変更する「洗浄位置」スイッチ２２３Ｆ、吐水の水勢を変更する「水勢」スイッチ２２３Ｇ、吐水位置を自動的に変化させる「ムーブ」スイッチ２２３Ｈ、吐水にマッサージ効果を与える「マッサージ」スイッチ２２３Ｉ、使用者が便座から離れると脱臭ファンの回転数を一定期間だけ上昇させる「パワー脱臭」スイッチ２２３Ｊ、各種の設定を実行するための「設定」スイッチ２２３Ｋなどが設けられている。なお、局部洗浄動作とは、「おしり」スイッチ２２３Ｂ、「やわらか」スイッチ２２３Ｃ、および「ビデ」スイッチ２２３Ｄによる動作を含むものとする。さらに、「ムーブ」スイッチ２２３Ｈや「マッサージ」スイッチ２２３Ｉなどによって吐水状態が変更された洗浄動作も含むものとする。局部乾燥動作とは、「乾燥」スイッチ２２３Ｅによる動作である。表示部２１５は、これらスイッチ類の機能などを表示する。
【００１８】
これらのスイッチ類は、いずれも便座に座った状態の使用者が操作する可能性が高いものである。そして、本実施形態によれば、このように、リモコン２００が有するスイッチ類のうちで、２番目に使用頻度が高いスイッチ類を第２のグループとして第２の操作面２２２に配置している。
【００１９】
このように、可動部２２０が前方に開いた状態においては、「止」スイッチ２２３Ａが露出状態にあるため、使用者は「止」スイッチ２２３Ａを操作することによって局部洗浄動作や局部乾燥動作の停止を指示（入力）することができる。しかしながら、図２および図５（ａ）に表した状態のように、可動部２２０が閉じた状態においては、「止」スイッチ２２３Ａが隠蔽状態にあるため、使用者は「止」スイッチ２２３Ａを操作することができず、局部洗浄動作や局部乾燥動作の停止を指示（入力）することができない。したがって、例えば、局部洗浄動作中や局部乾燥動作中に使用者が可動部２２０を誤って閉じてしまうと、局部洗浄動作や局部乾燥動作の実行中であるにも関わらず、これらの動作の停止を指示することができない。
【００２０】
局部洗浄動作の実行中に使用者が便座から立ち上がると、例えば「おしり」を洗浄する水が使用者の服や身体にかかるため好ましくない。さらに、局部洗浄装置の操作に不慣れな使用者は、「止」スイッチ２２３Ａが隠蔽状態となり、局部洗浄動作や局部乾燥動作の停止を指示（入力）することができないことに対して不安を感じるおそれがある。そのため、局部洗浄動作の実行中には確実に局部洗浄動作を停止させることができる必要がある。
【００２１】
そこで、本実施形態の局部洗浄装置によれば、後に詳述するように、「止」スイッチ２２３Ａの入力が可能な状態から不能な状態に切り替わる際に、局部洗浄動作の実行中には確実に局部洗浄動作を停止させることができる。
【００２２】
ここで、「止」スイッチ２２３Ａの入力可能状態とは、「止」スイッチ２２３Ａが露出状態にあり、使用者が「止」スイッチ２２３Ａを操作することによって局部洗浄動作や局部乾燥動作の停止を入力（指示）することができる状態をいう。一方、「止」スイッチ２２３Ａの入力不能状態とは、「止」スイッチ２２３Ａが例えば隠蔽状態などにあり、使用者が「止」スイッチ２２３Ａを操作することができない状態にあるため、局部洗浄動作や局部乾燥動作の停止を入力（指示）することができない状態をいう。なお、局部洗浄動作や局部乾燥動作の停止を入力（指示）することができない状態とは、リモコン２００の電池が切れた場合や、リモコン２００が故障した場合に、入力不能となる状態は含まれない。
【００２３】
図６は、本実施形態にかかる局部洗浄装置の一部の構成の詳細を例示するブロック図である。  
機能部８１０に設けられた局部洗浄機能部８３０は、局部洗浄動作手段８３８と、局部乾燥動作手段８３９と、温水の生成流路を開閉する開閉弁８３７と、温水の生成流路を流れる水の温度を検出するサーミスタなどの温水温度検出手段８３１と、温水ヒータ駆動部８３２と、温水ヒータ８３３と、便座ヒータ駆動部８３５と、を有する。
【００２４】
局部洗浄動作手段８３８は、制御部８２０からの指示により、便座に座った使用者の「おしり」などに向けて水を吐水し、局部洗浄動作を実行する。また、局部乾燥動作手段８３９は、制御部８２０からの指示により、便座に座った使用者の「おしり」などに向けて温風を吹き付け、局部洗浄動作などによって濡れた「おしり」などを乾燥する局部乾燥動作を実行する。
【００２５】
機能部８１０は、さらに、焦電センサや赤外線投光式センサなどからなる人体検知手段８１２と、赤外線投光式センサなどからなり便座に座った使用者を検知する着座検知手段８１６と、半導体メモリなどからなる記憶装置８２２と、便座に内蔵された便座温度検出手段８３４と、リモコン２００から送信された信号を受信するリモコン出力信号受信部８５０と、リモコン２００に向けて信号を送信する出力信号送信部８４０と、便座に内蔵された便座ヒータ８３６と、を有する。
【００２６】
制御部８２０は、例えば、リモコン２００に設けられた「おしり」スイッチ２２３Ｂが使用者によって操作されたことをリモコン出力信号受信部８５０を介して受信すると、局部洗浄動作を実行するように局部洗浄動作手段８３８を制御する。また例えば、制御部８２０は、リモコン２００に設けられた「乾燥」スイッチ２２３Ｅが使用者によって操作されたことをリモコン出力信号受信部８５０を介して受信すると、局部乾燥動作を実行するように局部乾燥動作手段８３９を制御する。さらに、制御部８２０は、人体検知手段８１２や着座検知手段８１６において得られた検知情報を出力信号送信部８４０からリモコン２００に向けて送信する。
【００２７】
一方、リモコン２００は、機能部８１０の出力信号送信部８４０から送信された信号を受信する出力信号受信手段２３０と、「おしり」スイッチ２２３Ｂなどのスイッチ類からなる操作手段２２３と、半導体メモリなどからなる記憶装置２４２と、可動部２２０の開閉の切替動作を検出する切替動作検知部２５５と、機能部８１０から送信された信号を受信するリモコン出力信号送信部２５０と、表示部２１５と、可動部２２０を駆動する開閉駆動部２７０と、を有する。
【００２８】
切替動作検知部２５５は、例えばホールセンサなどからなり、可動部２２０の開閉状態を検知することができる。また、可動部２２０を駆動させるモータ２７４（図１０参照）のパルス信号を読み取り、可動部２２０が開く方向に駆動しているのか、あるいは閉じる方向に駆動しているのか、を検知することができる。リモコン制御部２４０は、例えば、「開閉」スイッチ２１２Ｆが使用者によって操作されたこと受信すると、リモコン出力信号送信部２５０を介して機能部８１０に向けて信号を送信する。また例えば、リモコン制御部２４０は、可動部２２０の開閉状態が切り替えられたことを切替動作検知部２５５が検知すると、リモコン出力信号送信部２５０を介して機能部８１０に向けて信号を送信する。
【００２９】
以下、局部洗浄動作の実行中には確実に局部洗浄動作を停止させる具体例について、図面を参照しつつ説明する。  
図７は、局部洗浄動作の停止を指示する具体例を例示するフローチャート図である。  
まず、局部洗浄装置の入力不能防止動作が開始され（ステップＳ１００）、リモコン２００の可動部２２０が閉動作を開始すると（ステップＳ１０２）、切替動作検知部２５５は可動部２２０の閉動作が完了したか否かを判断する（ステップＳ１０４）。ここで、リモコン２００の可動部２２０が閉動作を開始するのは、「開閉」スイッチ２１２Ｆが使用者によって操作された場合や、使用者が手動によって可動部２２０を閉じる場合などのいずれの場合であってもよい。
【００３０】
続いて、切替動作検知部２５５は、可動部２２０の閉動作が完了するまで、閉動作が完了したか否かの判断を繰り返す（ステップＳ１０４：ＮＯ）。切替動作検知部２５５は、可動部２２０の閉動作が完了したことを検知すると（ステップＳ１０４：ＹＥＳ）、この検知信号をリモコン制御部２４０に伝達する。リモコン制御部２４０は、可動部２２０の閉動作が完了した検知信号を受信すると、リモコン２００の可動部２２０の動作を終了させ、局部洗浄動作の停止を指示する信号を機能部８１０に向けて出力（送信）する（ステップＳ１０６）。制御部８２０は、局部洗浄動作の停止を指示する信号をリモコン出力信号受信部８５０を介して受信すると、局部洗浄動作を停止するように局部洗浄動作手段８３８を制御する。このようにして、局部洗浄装置の入力不能防止動作は終了する（ステップＳ１０８）。
【００３１】
なお、切替動作検知部２５５は、可動部２２０が略完全に閉じた状態（図２参照）、すなわち可動部２２０の化粧面２２１と、第１の操作面２１０と、が略同一平面の状態となる前に、可動部２２０の閉動作が完了したと判断してもよい。より具体的には、例えば、化粧面２２１が第１の操作面２１０に対して約４５度以下の状態になると、可動部２２０の閉動作が完了したと判断してもよい。また、化粧面２２１が第１の操作面２１０に対して約４５度程度になる前（例えば約６０度程度）の状態において、可動部２２０の閉動作が完了したと判断してもよい。
【００３２】
さらに、切替動作検知部２５５は、図６に関して前述したように、可動部２２０が開く方向に駆動しているのか、あるいは閉じる方向に駆動しているのか、を検知することができるため、可動部２２０が閉じる方向に駆動していることを切替動作検知部２５５が検知したときに、リモコン制御部２４０は局部洗浄動作の停止を指示する信号を出力してもよい。このようにすれば、より早いタイミングで局部洗浄動作を停止させることができる。
【００３３】
本具体例によれば、局部洗浄動作を停止させる「止」スイッチ２２３Ａが、入力可能状態から入力不能状態に切り替わる際、あるいは切り替わった際に、切替動作検知部２５５はこの切替動作を検知して、リモコン制御部２４０は局部洗浄動作の停止を指示する信号を出力する。そのため、「止」スイッチ２２３Ａが入力不能状態のときに局部洗浄動作が実行されることはなく、局部洗浄動作の実行中には確実に局部洗浄動作を停止させることができる。
【００３４】
図８は、局部洗浄動作の停止を指示する他の具体例を例示するフローチャート図である。  
図７に関して前述したように、リモコン２００の可動部２２０が閉動作を開始するのは、「開閉」スイッチ２１２Ｆが使用者によって操作された場合であってもよい。したがって、「開閉」スイッチ２１２Ｆが使用者によって操作された信号をリモコン制御部２４０が確認し、これに基づいて、リモコン制御部２４０が局部洗浄動作の停止を指示する信号を機能部８１０に向けて出力（送信）してもよい。
【００３５】
まず、局部洗浄装置の入力不能防止動作が開始されると（ステップＳ２００）、「止」スイッチ２２３Ａが、入力可能状態から入力不能状態に切り替わる動作の指示があったか否かを判断する（ステップＳ２０２）。より具体的には、例えば、使用者によって「開閉」スイッチ２１２Ｆが操作されたか否かを判断する。入力可能状態から入力不能状態に切り替わる動作の指示がない場合には、引き続き、入力可能状態から入力不能状態に切り替わる動作の指示があったか否かを判断する（ステップＳ２０２：ＮＯ）。一方、入力可能状態から入力不能状態に切り替わる動作の指示があった場合には（ステップＳ２０２：ＹＥＳ）、この指示に基づいて、リモコン制御部２４０は局部洗浄動作の停止を指示する信号を機能部８１０に向けて出力（送信）する（ステップＳ２０４）。制御部８２０は、前述したように、局部洗浄動作の停止を指示する信号をリモコン出力信号受信部８５０を介して受信すると、局部洗浄動作を停止するように局部洗浄動作手段８３８を制御する。このようにして、局部洗浄装置の入力不能防止動作は終了する（ステップＳ２０６）。
【００３６】
本具体例においても、「止」スイッチ２２３Ａが入力不能状態のときに局部洗浄動作が実行されることはなく、局部洗浄動作の実行中には確実に局部洗浄動作を停止させることができる。また、「止」スイッチ２２３Ａが、入力可能状態から入力不能状態に切り替わる動作の指示に基づいて、局部洗浄動作の停止を指示する信号を出力することができるため、より早いタイミングで局部洗浄動作を停止させることができる。
【００３７】
図９は、局部洗浄動作の停止を指示するさらに他の具体例を例示するフローチャート図である。  
切替動作検知部２５５は、図６に関して前述したように、可動部２２０が開く方向に駆動しているのか、あるいは閉じる方向に駆動しているのか、を検知することができるため、可動部２２０が閉じる方向に駆動していることを切替動作検知部２５５が検知したときに、リモコン制御部２４０は局部洗浄動作の停止を指示する信号を出力（送信）してもよい。
【００３８】
まず、局部洗浄装置の入力不能防止動作が開始されると（ステップＳ３００）、切替動作検知部２５５は、「止」スイッチ２２３Ａが入力可能状態から入力不能状態に切り替わる動作を行っているか否かを判断する（ステップＳ３０２）。より具体的には、リモコン２００の可動部２２０が閉動作を行っているか否かを判断する。入力可能状態から入力不能状態に切り替わる動作を行っていない場合には、引き続き、入力可能状態から入力不能状態に切り替わる動作を行っているか否かを判断する（ステップＳ３０２：ＮＯ）。一方、入力可能状態から入力不能状態に切り替わる動作を行っている場合には（ステップＳ３０２：ＹＥＳ）、リモコン制御部２４０は局部洗浄動作の停止を指示する信号を機能部８１０に向けて出力（送信）する（ステップＳ３０４）。続いて、図７に関して前述した動作と同様にして、制御部８２０は、局部洗浄動作を停止するように局部洗浄動作手段８３８を制御する。このようにして、局部洗浄装置の入力不能防止動作は終了する（ステップＳ３０６）。
【００３９】
図１０は、リモコンの可動部の駆動機構を例示する模式断面図である。  
また、図１１は、局部洗浄動作の停止を指示するさらに他の具体例を例示するフローチャート図である。  
本具体例の可動部２２０は、その長手方向の下方に設けられた回動軸２２５により回動自在に軸支されている。そして、可動部２２０を駆動する開閉駆動部２７０は、可動部２２０に結合された駆動アーム２７１と、駆動アーム２７１に結合されたベルト２７２と、ベルト２７２を張支する一対のプーリー２７３と、プーリー２７３を回転させるモータ２７４と、を有する。モータ２７４の回転がベルト２７２に伝達され、駆動アーム２７１を駆動させることにより、可動部２２０を回動軸２２５の回りに回動させ、リモコン２００の前面から前方下方に向けて開くことができる。
【００４０】
本具体例のリモコン２００には、可動部２２０が略完全に閉じた状態（図２参照）、すなわち可動部２２０の化粧面２２１と、第１の操作面２１０と、が略同一平面となった状態において、「止」スイッチ２２３Ａを押圧する突起部（スイッチ切替部）３００が設けられている。スイッチ切替部３００は、例えば第１の操作面２１０の底面などに固定されている。可動部２２０が閉じていない状態においては、スイッチ切替部３００と、「止」スイッチ２２３Ａと、は接触しない。そのため、「止」スイッチ２２３Ａが押されることはない。一方、可動部２２０が略完全に閉じた状態においては、スイッチ切替部３００と、「止」スイッチ２２３Ａと、は接触し、さらに「止」スイッチ２２３Ａはスイッチ切替部３００によって押された（操作された）状態となる。
【００４１】
したがって、可動部２２０が略完全に閉じた状態においては、「止」スイッチ２２３Ａが操作された状態となるため、リモコン制御部２４０は、この状態において局部洗浄動作の停止を指示する信号を機能部８１０に向けて出力（送信）することができる。これにより、制御部８２０は、局部洗浄動作を停止させる。
【００４２】
次に、この動作をフローチャート図を参照しつつ説明する。  
まず、局部洗浄装置の入力不能防止動作が開始され（ステップＳ４００）、「止」スイッチ２２３Ａが、入力可能状態から入力不能状態に切り替わる動作が開始されると（ステップＳ４０２）、スイッチ切替部３００によって「止」スイッチ２２３Ａが操作されたか否かを判断する（ステップＳ４０４）。より具体的には、例えば、「開閉」スイッチ２１２Ｆが操作されたことによって可動部２２０が閉動作を開始すると（ステップＳ４０２）、スイッチ切替部３００によって「止」スイッチ２２３Ａが操作されたか否かを判断する（ステップＳ４０４）。スイッチ切替部３００によって「止」スイッチ２２３Ａが操作されない場合には、引き続き、スイッチ切替部３００によって「止」スイッチ２２３Ａが操作されたか否かを判断する（ステップＳ４０４：ＮＯ）。一方、スイッチ切替部３００によって「止」スイッチ２２３Ａが操作された場合には（ステップＳ４０４：ＹＥＳ）、リモコン制御部２４０は局部洗浄動作の停止を指示する信号を機能部８１０に向けて出力（送信）する（ステップＳ４０６）。このようにして、局部洗浄動作が停止され、局部洗浄装置の入力不能防止動作は終了する（ステップＳ４０８）。
【００４３】
本具体例によれば、可動部２２０が略完全に閉じた状態において、「止」スイッチ２２３Ａは確実に押された（操作された）状態となる。そのため、「止」スイッチ２２３Ａが入力不能状態のときに局部洗浄動作を確実に停止させることができる。  
また本具体例によれば、可動部２２０が略完全に閉じた状態において、「止」スイッチ２２３Ａが確実に押された（操作された）状態となる例を挙げたが、これだけに限られるわけではなく、「止」スイッチ２２３Ａに替えて、同じく第２の操作面２２２に設けられた各種スイッチのうちいずれかを操作することによって局部洗浄動作を停止させてもよい。
【００４４】
図１２は、リモコンの可動部の他の駆動機構を例示する模式断面図である。  
また、図１３は、局部洗浄動作の停止を指示するさらに他の具体例を例示するフローチャート図である。  
本具体例のリモコン２００には、可動部２２０が略完全に閉じた状態（図２参照）、すなわち可動部２２０の化粧面２２１と、第１の操作面２１０と、が略同一平面となった状態において、可動部２２０と接触する切替操作スイッチ３０１が、ペーパーホルダ５００の上方部に設けられている。その他の構造については、図１０を参照しつつ説明した駆動機構と同様である。
【００４５】
可動部２２０が閉じていない状態においては、切替操作スイッチ３０１と、可動部２２０と、は接触することはない。一方、可動部２２０が略完全に閉じた状態においては、切替操作スイッチ３０１と、可動部２２０と、は接触する。切替操作スイッチ３０１と可動部２２０とが接触すると、切替操作スイッチ３０１は、この情報信号をリモコン制御部２４０に送信する。リモコン制御部２４０は、この信号に基づいて、局部洗浄動作の停止を指示する信号を機能部８１０に向けて出力（送信）する。これにより、制御部８２０は、局部洗浄動作を停止させる。
【００４６】
なお、本具体例においては、切替操作スイッチ３０１は、接触式スイッチである場合を例に挙げて説明したが、これだけに限られるわけではない。例えば、回動軸２２５の近傍に設けられ、磁石を利用するスイッチなどであってもよい。また、接点式スイッチやセンサ式スイッチなどの種々のスイッチであってもよい。さらに、切替操作スイッチ３０１の配置に関しても、可動部２２０が略完全に閉じた状態において操作される位置であれば図１２に表した位置でなくともよい。例えば、切替操作スイッチ３０１を可動部２２０側に設けてもよい。
【００４７】
次に、この動作をフローチャート図を参照しつつ説明する。  
まず、局部洗浄装置の入力不能防止動作が開始され（ステップＳ５００）、「止」スイッチ２２３Ａが、入力可能状態から入力不能状態に切り替わる動作が開始されると（ステップＳ５０２）、リモコン２００の可動部２２０によって切替操作スイッチ３０１が操作されたか否かを判断する（ステップＳ５０４）。より具体的には、例えば、「開閉」スイッチ２１２Ｆが操作されたことによって可動部２２０が閉動作を開始すると（ステップＳ５０２）、リモコン２００の可動部２２０によって切替操作スイッチ３０１が操作されたか否かを判断する（ステップＳ５０４）。可動部２２０によって切替操作スイッチ３０１が操作されない場合には、引き続き、可動部２２０によって切替操作スイッチ３０１が操作されたか否かを判断する（ステップＳ５０４：ＮＯ）。一方、可動部２２０によって切替操作スイッチ３０１が操作された場合には（ステップＳ５０４：ＹＥＳ）、切替操作スイッチ３０１は、この情報信号をリモコン制御部２４０に送信する。リモコン制御部２４０は、この信号に基づいて、局部洗浄動作の停止を指示する信号を機能部８１０に向けて出力（送信）する（ステップＳ５０６）。続いて、図７に関して前述した動作と同様にして、制御部８２０は、局部洗浄動作を停止するように局部洗浄動作手段８３８を制御する。このようにして、局部洗浄装置の入力不能防止動作は終了する（ステップＳ５０８）。本具体例によれば、図１０および図１１を参照しつつ説明した効果と同様の効果を得ることができる。
【００４８】
図１４は、局部洗浄動作の停止を指示するさらに他の具体例を例示するフローチャート図である。  
本具体例は、図７に関して前述した具体例の変形例である。  
本具体例においては、リモコン２００の可動部２２０が閉動作を開始すると（ステップＳ１０２）、局部洗浄動作が実行中であるか否かを判断する（ステップＳ１１０）。局部洗浄動作が実行中である場合には（ステップＳ１１０：ＹＥＳ）、図７に関して前述したように、切替動作検知部２５５は可動部２２０の閉動作が完了したか否かを判断し（ステップＳ１０４）、可動部２２０の閉動作が完了した場合には（ステップＳ１０４：ＹＥＳ）、リモコン制御部２４０は、リモコン２００の可動部２２０の動作を終了させ、局部洗浄動作の停止を指示する信号を機能部８１０に向けて出力（送信）する（ステップＳ１０６）。
【００４９】
一方、局部洗浄動作が実行中でない場合には（ステップＳ１１０：ＮＯ）、切替動作検知部２５５は可動部２２０の閉動作が完了したか否かを判断し（ステップＳ１０４）、可動部２２０の閉動作が完了した場合には（ステップＳ１０４：ＹＥＳ）、リモコン制御部２４０は、リモコン２００の可動部２２０の動作のみを終了させる。これは、局部洗浄動作が実行されていないため、局部洗浄動作を停止させる必要がないためである。これにより、局部洗浄動作が実行中でないにも関わらず、局部洗浄動作の停止を指示する信号を機能部８１０に向けて出力することはなくなる。そのため、信号送信の際に消費する電力をより低減させることができる。なお、その他の動作および効果については、図７に関して前述した具体例の動作および効果と同様である。
【００５０】
なお、本具体例においても、図７に関して前述したように、切替動作検知部２５５は、可動部２２０が略完全に閉じた状態（図２参照）、すなわち可動部２２０の化粧面２２１と、第１の操作面２１０と、が略同一平面の状態となる前に、可動部２２０の閉動作が完了したと判断してもよい。さらに、可動部２２０が閉じる方向に駆動していることを切替動作検知部２５５が検知したときに、リモコン制御部２４０は局部洗浄動作の停止を指示する信号を出力してもよい。
【００５１】
図１５は、局部洗浄動作の停止を指示するさらに他の具体例を例示するフローチャート図である。  
本具体例においては、着座検知手段８１６が便座に座っている使用者を検知している場合には、「便座」スイッチ２１２Ｅや「便蓋」スイッチ２１２Ｄなどは、「止」スイッチ２２３Ａと同様の機能を有する。すなわち、使用者が便座に着座している場合には、リモコン制御部２４０は、「止」スイッチ２２３Ａではない他のスイッチの操作によっても、局部洗浄動作の停止を指示する信号を出力する。
【００５２】
これは、着座検知手段８１６が便座に座っている使用者を検知している場合には、便座や便蓋を動作させることができず、「便座」スイッチ２１２Ｅや「便蓋」スイッチ２１２Ｄは、本来の機能を発揮することができないため、「止」スイッチ２２３Ａと同様の機能を有することができる。
【００５３】
まず、局部洗浄装置の入力不能防止動作が開始され（ステップＳ６００）、リモコン２００の可動部２２０の閉動作が完了した後（ステップＳ６０２）、使用者が「便座」スイッチ２１２Ｅを操作すると（ステップＳ６０４）、着座検知手段８１６が便座に着座している使用者を検知したか否かを判断する（ステップＳ６０４）。着座検知手段８１６が使用者を検知した場合には（ステップＳ６０６：ＹＥＳ）、リモコン制御部２４０は、便座を開く動作の信号を局部洗浄動作の停止を指示する信号に切り替えて出力（送信）する。一方、着座検知手段８１６が使用者を検知しない場合には（ステップＳ６０６：ＮＯ）、リモコン制御部２４０は、「便座」スイッチ２１２Ｅの本来の機能を発揮させ、便座を開閉させる動作の信号を出力する。このようにして、局部洗浄装置の入力不能防止動作は終了する（ステップＳ６１２）。
【００５４】
本具体例によれば、局部洗浄動作を停止させる「止」スイッチ２２３Ａが、入力不能状態であっても、「便座」スイッチ２１２Ｅや「便蓋」スイッチ２１２Ｄなどの露出している他のスイッチの操作によって、局部洗浄動作を停止させることができる。そのため、局部洗浄動作の停止を希望してる使用者の要求を満たすことができ、使用者が不安を感じるおそれは少ない。
【００５５】
図１６は、局部洗浄動作の停止を指示するさらに他の具体例を例示するフローチャート図である。  
本具体例は、図１５に関して前述した具体例の変形例である。  
本具体例においては、着座検知手段８１６が便座に座っている使用者を検知している場合であっても、「便座」スイッチ２１２Ｅや「便蓋」スイッチ２１２Ｄは、本来の機能を発揮しようとする。すなわち、リモコン制御部２４０は、「便座」スイッチ２１２Ｅが操作されたことを受信すると、便座を開閉させる動作の信号を機能部８１０に向けて出力（送信）する。一方、制御部８２０は、着座検知手段８１６が便座に座っている使用者を検知している場合には、便座や便蓋を開く動作の信号を局部洗浄動作の停止を指示する信号に読み替える。その後、制御部８２０は、局部洗浄動作を停止するように局部洗浄動作手段８３８を制御する。
【００５６】
すなわち、着座検知手段８１６が使用者を検知した場合には（ステップＳ６０６：ＹＥＳ）、リモコン制御部２４０は、便座を開閉させる動作の信号を機能部８１０に向けて出力（送信）し、制御部８２０は、この信号を局部洗浄動作の停止を指示する信号に読み替える（ステップＳ６１４）。その他の動作については、図１５を参照しつつ説明した動作と同様である。
【００５７】
本具体例によっても、図１５に関して前述した効果と同様の効果を得ることができる。なお、図１５および図１６に表したフローチャート図のステップＳ６０４においては、「便座」スイッチ２１２Ｅを操作した場合を例に挙げて説明したが、これだけに限られるわけではなく、「便蓋」スイッチ２１２Ｄを操作した場合であってもよい。さらに、図７〜図１６においては、局部洗浄動作の停止を指示する具体例について説明したが、局部乾燥動作の停止を指示する具体例についても同様である。
【００５８】
図１７は、リモコンの可動部のさらに他の駆動機構を例示する模式断面図である。  
また、図１８は、局部洗浄動作の停止を指示するさらに他の具体例を例示するフローチャート図である。  
本具体例のリモコン２００は、入力不能防止手段３０２が、第１の操作面２１０の下方部に設けられている。入力不能防止手段３０２は、回動軸３０４により回動自在に軸支されている。ここで、回動軸３０４を中心として反時計回りの回動方向を正方向とし、時計回りの回動方向を負方向とする。その他の構造については、図１０を参照しつつ説明した駆動機構と同様である。
【００５９】
本具体例の局部洗浄装置は、可動部２２０が開いた状態、すなわち第２の操作面２２２に設けられたスイッチ類が入力可能状態であって、着座検知手段８１６が便座に座っている使用者を検知している場合には、リモコン制御部２４０は、図１７に表した矢印Ａの如く、入力不能防止手段３０２を正方向に回動させ、起立位置で待機させる。入力不能防止手段３０２が起立位置で待機した状態において可動部２２０を閉じると、入力不能防止手段３０２と、可動部２２０と、が接触するため、可動部２２０は閉動作を行うことはできない。
【００６０】
一方、着座検知手段８１６が使用者を検知しない場合には、リモコン制御部２４０は、入力不能防止手段３０２を負方向に回動させ、倒伏状態で待機させる。入力不能防止手段３０２が倒伏状態で待機した状態においては、入力不能防止手段３０２と、可動部２２０と、は接触しないため、可動部２２０は閉動作を行うことができる。
【００６１】
次に、この動作をフローチャート図を参照しつつ説明する。  
まず、局部洗浄装置の入力不能防止動作が開始され（ステップＳ７００）、リモコン２００の可動部２２０が開いた状態、すなわち第２の操作面２２２に設けられたスイッチ類が入力可能状態になると（ステップＳ７０２）、着座検知手段８１６が便座に着座している使用者の有無を検知する（ステップＳ７０４）。着座検知手段８１６が使用者を検知した場合には（ステップＳ７０４：ＹＥＳ）、リモコン制御部２４０は入力不能防止手段３０２を起立位置で待機させる。これにより、使用者が便座に着座した状態において、例えば、「開閉」スイッチ２１２Ｆを操作して可動部２２０を閉じる場合や、使用者が手動によって可動部２２０を閉じる場合であっても、入力不能防止手段３０２と、可動部２２０と、が接触するため、可動部２２０は閉動作を行うことはできない。
【００６２】
一方、着座検知手段８１６が使用者を検知しない場合には（ステップＳ７０４：ＮＯ）、リモコン制御部２４０は入力不能防止手段３０２を倒伏状態で待機させる。この状態においては、入力不能防止手段３０２と、可動部２２０と、は接触しないため、可動部２２０は閉動作を開始して（ステップＳ７１０）、その閉動作を完了することができる（ステップＳ７１２）。このようにして、局部洗浄装置の入力不能防止動作は終了する（ステップＳ７１４）。
【００６３】
本具体例によれば、使用者が便座に着座した状態において、局部洗浄動作を停止させる「止」スイッチ２２３Ａが入力可能状態から入力不能状態に切り替わることを、入力不能防止手段３０２が防止する。すなわち、使用者が便座に着座した状態において、可動部２２０は閉動作を行うことはできない。そのため、局部洗浄動作の実行中に、「止」スイッチ２２３Ａが入力不能状態になることはない。したがって、局部洗浄動作の実行中には確実に局部洗浄動作を停止させることができる。または、「開閉」スイッチ２１２Ｆを操作して可動部２２０を閉じる場合に限定すれば、入力不能防止手段３０２に替えて、「開閉」スイッチ２１２Ｆの操作を無視する制御を行ってもよい。
【００６４】
図１９は、局部洗浄動作の停止を指示するさらに他の具体例を例示するフローチャート図である。  
まず、局部洗浄装置の入力不能防止動作が開始され（ステップＳ８００）、リモコン２００の可動部２２０が閉動作を開始すると（ステップＳ８０２）、所定のタイミングで着座検知手段８１６が便座に着座している使用者の有無を検知する（ステップＳ８０４）。着座検知手段８１６が使用者を検知した場合には（ステップＳ８０４：ＹＥＳ）、リモコン制御部２４０は、可動部２２０を開く信号を出力する。すなわち、「開閉」スイッチ２１２Ｆによって開動作が操作された場合と同様の信号を出力する（ステップＳ８０８）。これにより、使用者が便座に着座した状態において、例えば、「開閉」スイッチ２１２Ｆを操作して可動部２２０を閉じた場合や、使用者が手動によって可動部２２０を閉じた場合であっても、その後リモコン制御部２４０が可動部２２０を開く信号を出力するため、再び「止」スイッチ２２３Ａが入力可能状態となる。
【００６５】
一方、着座検知手段８１６が使用者を検知しない場合には（ステップＳ８０４：ＮＯ）、可動部２２０は閉動作を継続し、その閉動作を完了する（ステップＳ８０６）。このようにして、局部洗浄装置の入力不能防止動作は終了する（ステップＳ８１０）。
【００６６】
本具体例によれば、使用者が便座に着座した状態において、リモコン２００の可動部２２０が閉じられた場合、すなわち局部洗浄動作を停止させる「止」スイッチ２２３Ａが入力可能状態から入力不能状態に切り替わった場合であっても、その入力不能状態を解除し、再び「止」スイッチ２２３Ａが入力可能状態となるように復帰させることができる。そのため、局部洗浄動作の実行中には確実に局部洗浄動作を停止させることができる。
【００６７】
なお、本具体例においては、使用者が便座に着座した状態において、リモコン制御部２４０が可動部２２０を開く信号を出力する場合を例に挙げて説明したが、「止」スイッチ２２３Ａの入力不能状態を解除し、入力可能状態に復帰させる手段はこれだけに限られるわけではなく、例えば、プーリー２７３（図１７参照）とモータ２７４（図１７参照）とが空転することで「止」スイッチ２２３Ａの入力不能状態を解除し、再び「止」スイッチ２２３Ａが入力可能状態となるように復帰させてもよい。すなわち、プーリー２７３とモータ２７４とが空転することで、一旦閉動作を行った可動部２２０が再び開動作を行い、「止」スイッチ２２３Ａが露出状態となるようにしてもよい。この場合であっても、本具体例と同様の効果を得ることができる。
【００６８】
以上説明したように、本実施形態の局部洗浄装置においては、リモコン２００の可動部２２０が回動軸２２５（図１０参照）を略中心として回動することによって、「止」スイッチ２２３Ａが入力不能状態となるおそれがある場合を例に挙げて説明したが、これだけに限られるわけではなく、例えば、可動部２２０がカウンターの棚板１００の前面に対して前後方向に進退することによって、「止」スイッチ２２３Ａが入力不能状態となるおそれもある。
【００６９】
以下、本実施形態の変形例について図面を参照しつつ説明する。  
図２０は、本実施形態の変形例にかかるリモコンを例示する模式図である。  
本変形例のリモコンは、図２に表したリモコン２００の第１の操作面２１０に相当する部分が、棚板前面１２０に対して前後方向にスライド可能とされている。すなわち、図２０に表した如く、第１の操作面２１０が設けられた可動部を前後に進退させることができる。第１の操作面２１０が設けられた可動部が引き出された状態において、その上面に第３の操作面２１３が設けられている。
【００７０】
第３の操作面２１３には、図３〜５に表した第２の操作面２２２と同様に、例えば、局部洗浄動作や局部乾燥動作などの動作を停止させる「止」スイッチ２２３Ａ、「おしり」に向けて吐水させる「おしり」スイッチ２２３Ｂ、吐水に広がりを与える「やわらか」スイッチ２２３Ｃ、ビデ洗浄を実行させる「ビデ」スイッチ２２３Ｄ、温風を噴出させて「おしり」などに乾燥させる「乾燥」スイッチ２２３Ｅなどが設けられている。
【００７１】
そのため、第１の操作面２１０が設けられた可動部が引き出された状態においては、「止」スイッチ２２３Ａが入力可能状態にあるため、使用者は「止」スイッチ２２３Ａを操作することによって局部洗浄動作や局部乾燥動作の停止を指示（入力）することができる。しかしながら、第１の操作面２１０が設けられた可動部が後退した状態（例えば、図２参照）においては、第３の操作面２１３が隠蔽状態にあるため、使用者は「止」スイッチ２２３Ａを操作することができず、局部洗浄動作や局部乾燥動作の停止を指示（入力）することができない。すなわち、「止」スイッチ２２３Ａが入力不能状態となる。
【００７２】
そこで、本変形例の場合にも、図７〜図１９を参照しつつ説明した少なくともいずれかの手段を採用することによって、局部洗浄動作の実行中には確実に局部洗浄動作を停止させることができる。
【００７３】
図２１は、本実施形態の他の変形例にかかるリモコンを例示する模式図である。  
図２１は、例えばタッチ式液晶スイッチを表している。  
本変形例のリモコンには、図２１（ａ）に表したように、「止」スイッチ２２３Ａ、「おしり」スイッチ２２３Ｂ、「乾燥」スイッチ２２３Ｅ、「ムーブ」スイッチ２２３Ｈ、「マッサージ」スイッチ２２３Ｉ、「洗浄位置」スイッチ２２３Ｆ、「画面切替（設定）」スイッチ２２３Ｋなどが表示されている。使用者は、タッチ式液晶スイッチに表示されたスイッチを直に押す（タッチする）ことで、これらのスイッチを操作することができる。
【００７４】
また、本変形例のリモコンは、「画面切替」スイッチ２２３Ｋを押すと、タッチ式液晶スイッチの表示が切り替わる。すなわち、図２１（ａ）に表した状態において「画面切替」スイッチ２２３Ｋを押すと、図２１（ｂ）に表したように、便座の暖房温度を設定する「便座温度」スイッチ２２３Ｍ、吐水の温度を設定する「温水温度」スイッチ２２３Ｌ、乾燥のための温風の温度を設定する「温風温度」スイッチ２２３Ｎ、「止」スイッチ２２３Ａ、「画面切替」スイッチ２２３Ｋなどが表示される。
【００７５】
さらに、図２１（ｂ）に表した状態において「画面切替」スイッチ２２３Ｋを押すと、図２１（ｃ）に表したように、吐水ノズルを洗浄する「ノズル洗浄」スイッチ２２３Ｚ、進退自在な吐水ノズルを掃除するために進出した状態に維持させる「ノズルおそうじモード」スイッチ２２３Ｐ、便器８００のボウルの封水の水位を低下させて掃除を可能とした「便器おそうじモード」スイッチ２２３Ｑ、「画面切替」スイッチ２２３Ｋなどが表示される。そして、図２１（ｃ）に表した状態において「画面切替」スイッチ２２３Ｋを押すと、再び図２１（ａ）に表した状態に戻る。
【００７６】
そのため、図２１（ａ）および（ｂ）に表した状態においては、「止」スイッチ２２３Ａが表示されており入力可能状態にあるため、使用者は「止」スイッチ２２３Ａを操作（タッチ）することによって局部洗浄動作や局部乾燥動作の停止を指示（入力）することができる。しかしながら、図２１（ｃ）に表した状態においては、「止」スイッチ２２３Ａが表示されておらず入力不能状態にあるため、使用者は「止」スイッチ２２３Ａを操作（タッチ）することができず、局部洗浄動作や局部乾燥動作の停止を指示（入力）することができない。
【００７７】
そこで、本変形例においては、例えば、使用者が「画面切替」スイッチ２２３Ｋを操作することで、表示画面が図２１（ｃ）に表した状態になったことをリモコン制御部２４０が検知した場合には、局部洗浄動作や局部乾燥動作の停止を指示する信号を機能部８１０に向けて出力（送信）する。このようにすることで、局部洗浄動作の実行中には確実に局部洗浄動作を停止させることができる。
【００７８】
図２２は、本実施形態のさらに他の変形例にかかるリモコンを例示する模式図である。  本変形例のリモコンは、機能部８１０の側面に付設されている。本変形例のリモコンの第１の操作面２１０には、図２２（ａ）に表したように、「止」スイッチ２２３Ａ、「おしり」スイッチ２２３Ｂ、「ビデ」スイッチ２２３Ｄ、「乾燥」スイッチ２２３Ｅなどが設けられている。
【００７９】
また、本変形例のリモコンの第１の操作面２１０は、図２２（ｂ）に表した矢印Ｂの如く、回動軸３０６によって回動することができる。第１の操作面２１０を矢印Ｂの如く回動させると、第１の操作面２１０が閉じた状態の下方部に相当する位置に、第２の操作面２２２が設けられている。第２の操作面には、トイレ装置の使用頻度などが学習され、その結果に基づいて節電運転が適宜実施される「節電」スイッチ２２３Ｓ、「脱臭」スイッチ２２３Ｊ、「ノズルおそうじモード」スイッチ２２３Ｐ、局部洗浄装置の「運転」スイッチ２２３Ｖ、切替操作スイッチ３０１などが設けられている。
【００８０】
「止」スイッチ２２３Ａは、図２２（ｂ）に表したように、第１の操作面２１０の裏面側に突起部２２４Ａを有している。また同様に、「おしり」スイッチ２２３Ｂは突起部２２４Ｂを、あるいは「ビデ」スイッチ２２３Ｄは突起部２２４Ｄを、あるいは「乾燥」スイッチ２２３Ｅは突起部２２４Ｅを、第１の操作面２１０の裏面側にそれぞれ有している。さらに、第１の操作面２１０の裏面には、突起部２２４Ｆが設けられている。第１の操作面２１０が閉じた状態では、突起部２２４Ｆは切替操作スイッチ３０１を下方に押した状態となる。
【００８１】
図２２（ａ）に表したように、第１の操作面２１０が閉じた状態において、使用者が「止」スイッチ２２３Ａを押すと、突起部２２４Ａは下方に押し込まれ、その下方部に存在するスイッチ２２３Ｓを押す。これにより、局部洗浄動作や局部乾燥動作の停止を指示（入力）することができる。これに対して、図２２（ｂ）に表したように、第１の操作面２１０が開いた状態において、使用者がスイッチ２２３Ｓを押すと、節電運転の「入／切」が切り替わる。
【００８２】
すなわち、突起部２２４Ｆが切替操作スイッチ３０１を下方に押した状態においては、スイッチ２２３Ｓ、２２３Ｊ、２２３Ｐ、および２２３Ｖは、第１の操作面２１０に表示されたスイッチの操作に使用される。これに対して、突起部２２４Ｆが切替操作スイッチ３０１を下方に押していない状態においては、スイッチ２２３Ｓ、２２３Ｊ、２２３Ｐ、および２２３Ｖは、第２の操作面２２２に表示されたスイッチの操作に使用される。このように、スイッチ２２３Ｓ、２２３Ｊ、２２３Ｐ、および２２３Ｖは、第１の操作面２１０に表示されたスイッチの操作と、第２の操作面２２２に表示されたスイッチの操作と、に兼用される。
【００８３】
そのため、第１の操作面２１０が閉じた状態においては、使用者は「止」スイッチ２２３Ａを操作することによって局部洗浄動作や局部乾燥動作の停止を指示（入力）することができる。しかしながら、第１の操作面２１０が開いた状態においては、使用者は「止」スイッチ２２３Ａを操作しても局部洗浄動作や局部乾燥動作の停止を指示（入力）することはできない。すなわち、「止」スイッチ２２３Ａは入力不能状態にある。
【００８４】
そこで、本変形例においては、例えば、使用者が第１の操作面２１０を開けることによって、突起部２２４Ｆが切替操作スイッチ３０１を下方に押していない状態になると、リモコン制御部２４０は、局部洗浄動作や局部乾燥動作の停止を指示する信号を機能部８１０に向けて出力（送信）する。このようにすることで、局部洗浄動作の実行中には確実に局部洗浄動作を停止させることができる。
【００８５】
図２３は、本実施形態のさらに他の変形例にかかるリモコンを例示する模式図である。  本変形例のリモコンは、図２２に表したリモコンと同様に、機能部８１０の側面に付設されている。本変形例のリモコンの第１の操作面２１０には、図２２（ｂ）に表したように、「止」スイッチ２２３Ａ、「おしり」スイッチ２２３Ｂ、「ビデ」スイッチ２２３Ｄ、「乾燥」スイッチ２２３Ｅなどが設けられている。
【００８６】
また、第１の操作面２１０は、図２３（ｂ）に表したように、回動軸３０８により回動自在に軸支されている。そのため、スイッチ類を隠蔽することにより、見た目がすっきりとしたリモコンを実現することができる。しかしながら、第１の操作面２１０を回動させて「止」スイッチ２２３Ａを隠蔽させると、使用者は「止」スイッチ２２３Ａを操作することができず、局部洗浄動作や局部乾燥動作の停止を指示（入力）することができない。すなわち、「止」スイッチ２２３Ａは入力不能状態となる。
【００８７】
そこで、本変形例においては、例えば、使用者が第１の操作面２１０を回動させて「止」スイッチ２２３Ａを隠蔽させたことを切替動作検知部（図６参照）が検知すると、リモコン制御部２４０は局部洗浄動作や局部乾燥動作の停止を指示する信号を機能部８１０に向けて出力（送信）する。このようにすることで、局部洗浄動作の実行中には確実に局部洗浄動作を停止させることができる。
【００８８】
図２４は、本実施形態のさらに他の変形例にかかるリモコンを例示する模式図である。  また、図２５は、本変形例にかかるリモコンのカバーが開いた状態を表す模式斜視図である。  
また、図２６は、本変形例にかかるリモコンのカバーが開いた状態を表す模式正面図である。
【００８９】
本変形例にかかるリモコンの第１の操作面２１０には、「止」スイッチ２２３Ａ、「おしり」スイッチ２２３Ｂ、「やわらか」スイッチ２２３Ｃ、「ビデ」スイッチ２２３Ｄ、「ムーブ」スイッチ２２３Ｈ、「マッサージ」スイッチ２２３Ｉ、「水勢」スイッチ２２３Ｇ、「洗浄位置」スイッチ２２３Ｆなどが設けられている。また、リモコンの上面には、「大」スイッチ２１２Ａ、「小」スイッチ２１２Ｂ、「閉じ」スイッチ２１２Ｃ、「便蓋」スイッチ２１２Ｄ、「便座」スイッチ２１２Ｅなどが設けられている。
【００９０】
第１の操作面２１０は、図２５に表したように、回動軸３１０を介して、第２の操作面２２２の下端部に回動自在に軸支されている。これにより、第１の操作面２１０は、回動軸３１０を略回動中心として約１８０度の範囲で回動可能である。その結果、第１の操作面２１０を回動させると、第２の操作面２２２が露出する。
【００９１】
第２の操作面には、図２６に表したように、「温水温度」スイッチ２２３Ｌ、「便座温度」スイッチ２２３Ｍ、「温風温度」スイッチ２２３Ｎ、「ノズルおそうじモード」スイッチ２２３Ｐ、「便器おそうじモード」スイッチ２２３Ｑ、「パワー脱臭」スイッチ２２３Ｊ、人体検知センサが使用者を検知すると便器８００のボウルに予め少量の洗浄水を流す「オートプレ洗浄」スイッチ２２３Ｕ、人体検知センサが使用者を検知した後に非検知になると便器８００に自動的に洗浄水を流す「オート洗浄」スイッチ２２３Ｗ、「節電」スイッチ２２３Ｓ、タイマーにより所定の時間に節電する「タイマー節電」スイッチ２２３Ｔ、トイレ空間を暖房する室暖機能に関する設定スイッチ２２３Ｘ、時刻の設定スイッチ２２３Ｙなどが設けられている。
【００９２】
さらに第２の操作面には、第１の操作面が閉じた状態の「止」スイッチ２２３Ａの後方部に相当する位置に、スイッチ２２６Ａが設けられている。これと同様に、「おしり」スイッチ２２３Ｂの後方部に相当する位置にスイッチ２２６Ｂが、あるいは「やわらか」スイッチ２２３Ｃの後方部に相当する位置にスイッチ２２６Ｃが、あるいは「ビデ」スイッチ２２３Ｄの後方部に相当する位置にスイッチ２２６Ｄが、それぞれ設けられている。
【００９３】
一方、「止」スイッチ２２３Ａは、図２５に表したように、第１の操作面２１０の裏面側に突起部２２４Ａを有している。また同様に、「おしり」スイッチ２２３Ｂは突起部２２４Ｂを、あるいは「やわらか」スイッチ２２３Ｃは突起部２２４Ｃを、あるいは「ビデ」スイッチ２２３Ｄは突起部２２４Ｄを、第１の操作面２１０の裏面側にそれぞれ有している。
【００９４】
第１の操作面２１０が閉じた状態において、使用者が「止」スイッチ２２３Ａを操作する（押す）と、第１の操作面２１０の裏面側に設けられた突起部２２４Ａが後方部に押し込まれる。その結果、突起部２２４Ａはスイッチ２２６Ａを押す。これにより、局部洗浄動作や局部乾燥動作の停止を指示（入力）することができる。この動作は、「おしり」スイッチ２２３Ｂ、「やわらか」スイッチ２２３Ｃ、「ビデ」スイッチ２２３Ｄにおいても同様である。一方、第１の操作面２１０が開いた状態においては、スイッチ２２６Ａ〜２２６Ｄを操作をしても機能を発揮しないよう、いわゆるダブルファンクションで機能を殺している。
【００９５】
そのため、第１の操作面２１０が閉じた状態においては、使用者は「止」スイッチ２２３Ａを操作することによって局部洗浄動作や局部乾燥動作の停止を指示（入力）することができる。しかしながら、第１の操作面２１０が開いた状態においては、使用者は「止」スイッチ２２３Ａや「止」に対応するスイッチ２２６Ａを操作しても局部洗浄動作や局部乾燥動作の停止を指示（入力）することはできない。すなわち、「止」スイッチ２２３Ａは入力不能状態にある。
【００９６】
そこで、本変形例においては、例えば、使用者が第１の操作面２１０を開けたことを切替動作検知部（図６参照）が検知すると、リモコン制御部２４０は、局部洗浄動作や局部乾燥動作の停止を指示する信号を機能部８１０に向けて出力（送信）する。このようにすることで、局部洗浄動作の実行中には確実に局部洗浄動作を停止させることができる。  
なお、図２０〜図２６を参照しつつ説明した変形例においても、「止」スイッチ２２３Ａの入力不能状態とは、前述したように、使用者が「止」スイッチ２２３Ａを操作することができない状態にあるため、局部洗浄動作や局部乾燥動作の停止を入力（指示）することができない状態をいう。ここで、局部洗浄動作や局部乾燥動作の停止を入力（指示）することができない状態とは、リモコン２００の電池が切れた場合や、リモコン２００が故障した場合に、入力不能となる状態は含まれない。
【００９７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン２００の可動部２２０の駆動機構などが備える各要素の形状、寸法、材質、配置などやスイッチ類の設置形態および設置位置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００９８】
【図１】本発明の実施の形態にかかる局部洗浄装置が設置されたトイレ空間を例示する模式図である。
【図２】リモコンの外観を表す模式図である。
【図３】リモコンの可動部が前方に開いた状態を表す模式斜視図である。
【図４】リモコンの可動部が前方に開いた状態を表す模式斜視図である。
【図５】リモコンの操作面の遷移を例示する模式図であり、図５（ａ）は、可動部が閉じた状態を表した模式図であり、図５（ｂ）は、可動部が開いて露出した第２の操作面を正面から眺めた模式図である。
【図６】本実施形態にかかる局部洗浄装置の一部の構成の詳細を例示するブロック図である。
【図７】局部洗浄動作の停止を指示する具体例を例示するフローチャート図である。
【図８】局部洗浄動作の停止を指示する他の具体例を例示するフローチャート図である。
【図９】局部洗浄動作の停止を指示するさらに他の具体例を例示するフローチャート図である。
【図１０】リモコンの可動部の駆動機構を例示する模式断面図である。
【図１１】局部洗浄動作の停止を指示するさらに他の具体例を例示するフローチャート図である。
【図１２】リモコンの可動部の他の駆動機構を例示する模式断面図である。
【図１３】局部洗浄動作の停止を指示するさらに他の具体例を例示するフローチャート図である。
【図１４】局部洗浄動作の停止を指示するさらに他の具体例を例示するフローチャート図である。
【図１５】局部洗浄動作の停止を指示するさらに他の具体例を例示するフローチャート図である。
【図１６】局部洗浄動作の停止を指示するさらに他の具体例を例示するフローチャート図である。
【図１７】リモコンの可動部のさらに他の駆動機構を例示する模式断面図である。
【図１８】局部洗浄動作の停止を指示するさらに他の具体例を例示するフローチャート図である。
【図１９】局部洗浄動作の停止を指示するさらに他の具体例を例示するフローチャート図である。
【図２０】本実施形態の変形例にかかるリモコンを例示する模式図である。
【図２１】本実施形態の他の変形例にかかるリモコンを例示する模式図である。
【図２２】本実施形態のさらに他の変形例にかかるリモコンを例示する模式図である。
【図２３】本実施形態のさらに他の変形例にかかるリモコンを例示する模式図である。
【図２４】本実施形態のさらに他の変形例にかかるリモコンを例示する模式図である。
【図２５】本変形例にかかるリモコンのカバーが開いた状態を表す模式斜視図である。
【図２６】本変形例にかかるリモコンのカバーが開いた状態を表す模式正面図である。
【符号の説明】
【００９９】
１００ 棚板、  １２０ 棚板前面、  １６０ ボウル、  １７０ 水栓、  ２００ リモコン、  ２１０ 第１の操作面、  ２１２Ａ、２１２Ｂ、２１２Ｃ、２１２Ｄ、２１２Ｅ、２１２Ｆ スイッチ、  ２１３ 第３の操作面、  ２１５ 表示部、  ２２０ 可動部、  ２２１ 化粧面、  ２２２ 第２の操作面、  ２２３ 操作手段、  ２２３Ａ、２２３Ｂ、２２３Ｃ、２２３Ｄ、２２３Ｅ、２２３Ｆ、２２３Ｇ、２２３Ｈ、２２３Ｉ、２２３Ｊ、２２３Ｋ、２２３Ｌ、２２３Ｍ、２２３Ｎ、２２３Ｐ、２２３Ｑ、２２３Ｓ、２２３Ｔ、２２３Ｕ、２２３Ｖ、２２３Ｗ、２２３Ｘ、２２３Ｙ、２２３Ｚ スイッチ、  ２２４Ａ、２２４Ｂ、２２４Ｃ、２２４Ｄ、２２４Ｅ、２２４Ｆ 突起部、  ２２５ 回動軸、  ２２６Ａ、２２６Ｂ、２２６Ｃ、２２６Ｄ スイッチ、  ２３０ 出力信号受信手段、  ２４０ リモコン制御部、  ２４２ 記憶装置、  ２５０ リモコン出力信号送信部、  ２５５ 切替動作検知部、  ２７０ 開閉駆動部、  ２７１ 駆動アーム、  ２７２ ベルト、  ２７３ プーリー、  ２７４ モータ、  ３００ スイッチ切替部、  ３０１ 切替操作スイッチ、  ３０２ 入力不能防止手段、  ３０４、３０６、３０８、３１０ 回動軸、  ５００ ペーパーホルダ、  ５９０ トイレットペーパー、  ６００ キャビネット、  ８００ 便器、  ８１０ 機能部、  ８１２ 人体検知手段、  ８１６ 着座検知手段、  ８２０ 制御部、  ８２２ 記憶装置、  ８３０ 局部洗浄機能部、  ８３１ 温水温度検出手段、  ８３２ 温水ヒータ駆動部、  ８３３ 温水ヒータ、  ８３４ 便座温度検出手段、  ８３５ 便座ヒータ駆動部、  ８３６ 便座ヒータ、  ８３７ 開閉弁、  ８３８ 局部洗浄動作手段、  ８３９ 局部乾燥動作手段、  ８４０ 出力信号送信部、  ８５０ リモコン出力信号受信部、  ９００ トイレ室、  ９１０ 鏡
【図１】
0005263706.tif 000002
【図２】
0005263706.tif 000003
【図３】
0005263706.tif 000004
【図４】
0005263706.tif 000005
【図５】
0005263706.tif 000006
【図６】
0005263706.tif 000007
【図７】
0005263706.tif 000008
【図８】
0005263706.tif 000009
【図９】
0005263706.tif 000010
【図１０】
0005263706.tif 000011
【図１１】
0005263706.tif 000012
【図１２】
0005263706.tif 000013
【図１３】
0005263706.tif 000014
【図１４】
0005263706.tif 000015
【図１５】
0005263706.tif 000016
【図１６】
0005263706.tif 000017
【図１７】
0005263706.tif 000018
【図１８】
0005263706.tif 000019
【図１９】
0005263706.tif 000020
【図２０】
0005263706.tif 000021
【図２１】
0005263706.tif 000022
【図２２】
0005263706.tif 000023
【図２３】
0005263706.tif 000024
【図２４】
0005263706.tif 000025
【図２５】
0005263706.tif 000026
【図２６】
0005263706.tif 000027